(57)【要約】      （修正有）【課題】非常用設備である水噴霧設備の水源及び装置を利用して常設設備である照明灯具の照明灯具の清掃を効率良くできるようにする。【解決手段】非常用設備として、加圧供給された消火用水を水噴霧ヘッド２０からトンネル１０内に散水する水噴霧設備が設けられ、常設設備としてトンネル壁面１１に沿ってトンネル１０長手方向に設置された複数の照明灯具２４が設けられる。照明灯具２４の近傍に清掃用ヘッドとして前面清掃用ヘッド２６と背面清掃用ヘッド２８を配置し、切替弁装置により、水噴霧ヘッド２０に加圧供給される消火用水の放出先を該清掃用ヘッドに切り替え、該清掃用ヘッドからの散水により照明灯具２４を洗浄清掃する。【選択図】図１
2010275794.tif 000002
【特許請求の範囲】
【請求項１】
火災時に加圧水を水噴霧ヘッドからトンネル内に散水する水噴霧設備と、
トンネル壁面に沿ってトンネル長手方向に設置された複数の照明灯具と、
前記照明灯具の近傍に配置された清掃用ヘッドと、
前記水噴霧ヘッドに供給される加圧水の放出先を前記水噴霧ヘッドから前記清掃用ヘッドに切り替え、前記清掃用ヘッドからの散水により前記照明灯具を洗浄清掃する切替弁装置と、
を備えたことを特徴とするトンネル用設備点検装置。
【請求項２】
請求項１記載のトンネル用設備点検装置に於いて、
前記水噴霧設備は、トンネル長手方向に分割された防火区画単位に設置された自動弁装置の開放により加圧水を水噴霧ヘッドに供給してトンネル内に加圧水を散水し、
前記切替弁装置は、前記自動弁装置による加圧水の放出先を前記水噴霧ヘッドから前記清掃用ヘッドに切り替え、前記清掃用ヘッドからの散水により前記照明灯具を前記防火区画単位に洗浄清掃することを特徴とするトンネル用設備点検装置。
【請求項３】
請求項１又は２記載のトンネル用設備点検装置に於いて、前記清掃用ヘッドを前記照明灯具の正面、側面および背面を洗浄するように配置したことを特徴とするトンネル用設備点検装置。
【請求項４】
請求項２記載のトンネル用設備点検装置に於いて、前記切替弁装置は、前記自動弁装置の２次側に、前記水噴霧ヘッドの接続配管に対する加圧水の供給から前記清掃用ヘッドに対する加圧水に供給に切り替える三方切替弁を設け、前記自動弁装置で所定圧力に調圧された加圧水を前記清掃用ヘッドに供給して散水することを特徴とするトンネル用設備点検装置。
【請求項５】
請求項２記載のトンネル用設備点検装置に於いて、前記切替弁装置は、前記自動弁装置の１次側に、前記水噴霧ヘッドの接続配管に対する加圧水の供給から前記清掃用ヘッドに対する加圧水に供給に切り替える三方切替弁を設け、前記自動弁装置の１次側加圧用水を前記清掃用ヘッドに供給して散水することを特徴とするトンネル用設備点検装置。
【請求項６】
請求項４又は５記載のトンネル用設備点検装置に於いて、前記三方切替弁は、点検用制御弁の遠隔開制御または前記点検用制御弁に並列接続された点検放水弁の手動開操作による前記自動弁装置の１次側加圧水の供給により動作して放水先を前記水噴霧ヘッドから前記清掃用ヘッドに切り替えることを特徴とするトンネル用設備点検装置。
【請求項７】
請求項２記載のトンネル用設備点検装置に於いて、前記自動弁に接続される前記水噴霧ヘッドと前記清掃用ヘッドの各総放射量を略同量としたことを特徴とするトンネル用設備点検装置。
【発明の詳細な説明】
【技術分野】
【０００１】
本発明は、常設設備である照明灯具を清掃点検するトンネル用設備点検装置に関する。
【背景技術】
【０００２】
従来、自動車専用道路のトンネル内の壁面には常設設備の１つとして照明灯具が配置されており、定期的に点検清掃が行われている。
【０００３】
照明灯具の清掃の方法としては車線規制を行い、清掃車を走行させて照明灯具の設置位置に止め、清掃車に搭載しているアームの先端に設けた清掃装置を照明灯具にセットして順次照明灯具の清掃する高所作業を行う。このような照明灯具の清掃を含む点検頻度は1年に1回程度である。また車線規制としては、一方通行であれば1車線規制が主で、対面通行であれば夜間通行止めにする必要がある。
【０００４】
また別の清掃設備としては、照明灯具に沿って設置されたレールに清掃ロボットを配置し、清掃ロボットが照明灯具に沿って移動することで順次清掃していくものもある。
【先行技術文献】
【特許文献】
【０００５】
【特許文献１】特開２００７−１３８７０３号公報
【特許文献２】特開２００５−３３９９２０号公報
【特許文献３】特開２００２−１２６１２０号公報
【発明の概要】
【発明が解決しようとする課題】
【０００６】
しかしながら、このような従来の清掃車による照明灯具の清掃にあっては、照明灯具の正面から清掃装置をセットして清掃しているが、照明灯具は正面のみ清掃すればよい訳ではなく、背面や側面の筐体も清掃しないと筐体自体が劣化してしまう。しかし、従来の清掃車を使用した清掃では筐体背面や側面の清掃が難しく、筐体背面や側面の清掃は人手による高所作業で行うしかなく、手間と時間がかかる。
【０００７】
またトンネル内には常設設備である照明灯具以外にも定期点検(清掃含む)を行う設備として消火栓設備や水噴霧設備などの非常用設備が多くあり、設備毎に点検設備が必要でコストがかかる。また設備毎に点検を行う関係上、その都度、車線規制を行う必要があり、大がかりな点検となってしまう問題がある。
【０００８】
本発明は、非常用設備である水噴霧設備の水源及び装置を利用して常設設備である照明灯具の照明灯具の清掃を効率良くできるようにするトンネル用設備点検装置を提供することを目的とする。
【課題を解決するための手段】
【０００９】
本発明は、トンネル用設備点検装置において、
火災時に加圧水を水噴霧ヘッドからトンネル内に散水する水噴霧設備と、
トンネル壁面に沿ってトンネル長手方向に設置された複数の照明灯具と、
照明灯具の近傍に配置された清掃用ヘッドと、
水噴霧ヘッドに供給される加圧水の放出先を水噴霧ヘッドから清掃用ヘッドに切り替え、清掃用ヘッドからの散水により照明灯具を洗浄清掃する切替弁装置と、
を備えたことを特徴とする。
【００１０】
ここで、水噴霧設備は、トンネル長手方向に分割された防火区画単位に設置された自動弁装置の開放により加圧水を水噴霧ヘッドに供給してトンネル内に加圧水を散水し、
切替弁装置は、自動弁装置による加圧水の放出先を水噴霧ヘッドから清掃用ヘッドに切り替え、清掃用ヘッドからの散水により照明灯具を防火区画単位に洗浄清掃する。
【００１１】
清掃用ヘッドを照明灯具の正面、側面および背面を洗浄するように配置する。
【００１２】
切替弁装置は、自動弁装置の２次側に、水噴霧ヘッドの接続配管に対する加圧水の供給から清掃用ヘッドに対する加圧水に供給に切り替える三方切替弁を設け、自動弁装置で所定圧力に調圧された加圧水を清掃用ヘッドに供給して散水する。
【００１３】
切替弁装置は、自動弁装置の１次側に、水噴霧ヘッドの接続配管に対する加圧水の供給から清掃用ヘッドに対する加圧水に供給に切り替える三方切替弁を設け、自動弁装置の１次側加圧用水を清掃用ヘッドに供給して散水する。
【００１４】
三方切替弁は、点検用制御弁の遠隔開制御または点検用制御弁に並列接続された点検放水弁の手動開操作による自動弁装置の１次側加圧水の供給により動作して放水先を水噴霧ヘッドから清掃用ヘッドに切り替える。
【００１５】
自動弁に接続される水噴霧ヘッドと清掃用ヘッドの各総放射量を略同量とした。
【発明の効果】
【００１６】
本発明の点検装置によれば、トンネル内に常設設備として設置されている照明灯具に対し清掃用ヘッドを配置し、トンネル非常設備の１つとして設けられている水噴霧設備の自動弁装置に放水先を水噴霧ヘッドから清掃用ヘッドに切り替える切替弁装置を設けることで、水噴霧設備の水源を利用して清掃用ヘッドから照明灯具に加圧水を散水して洗浄清掃することができ、常設設備である照明灯具の清掃設備を非常用設備である水噴霧設備と兼用することで、照明灯具を清掃するための設備構成を簡単にしてコストの低減を図り、清掃のための通行規制も短時間で済ますことができる。
【００１７】
また常設設備である照明灯具と非常設備である水噴霧設備の清掃を含む点検作業を同時に行うことを可能とし、トンネル内設備の維持管理するための点検作業の効率化され、点検のための通行規制も短時間で済ますことができる。
【図面の簡単な説明】
【００１８】
【図１】本発明により清掃点検する照明灯具を含む各種のトンネル用設備の設置状態を示した説明図
【図２】図１のトンネル壁面に設置した照明灯具に対する清掃用ヘッドの配置を示した説明図
【図３】２次側で放水先を水噴霧ヘッドと清掃用ヘッドに切り替える自動弁装置の実施形態を示した説明図
【図４】１次側で放水先を水噴霧ヘッドと清掃用ヘッドに切り替える自動弁装置の他の実施形態を示した説明図
【発明を実施するための形態】
【００１９】
図１は本発明により清掃点検する照明灯具を含む各種のトンネル用設備の設置状態を示した説明図である。図１において、トンネル１０内には蒲鉾状のトンネル壁面１１により覆われた道路１２が設けられており、この例にあっては、道路１２は１方向２車線としている。
【００２０】
道路１２の左側のトンネル壁面１１に沿っては監視員通路１４が設けられており、監視員通路１４から操作可能となるトンネル壁面１１の位置に消火栓装置１６及び自動弁装置１８を設けている。
【００２１】
消火栓装置１６はトンネル長手方向の５０メートルおきに設置されている。自動弁装置１８は、トンネル壁面１１の上部に設置された噴霧配管２２から取り出された水噴霧ヘッド２０に対し加圧消火用水を供給する装置であり、トンネル長手方向の５０メートルを放水区画として、各放水区画ごとに自動弁装置１８が設置されている。
【００２２】
またトンネル壁面１１の天井側の両側には、トンネル長手方向に沿って照明灯具２４が一定間隔で配置されており、各照明灯具２４に対しては、その上側に配線しているケーブルが分岐接続されて照明電源を供給している。
【００２３】
ここで消火栓装置１６や水噴霧ヘッド２０から水噴霧を行う自動弁装置１８は、トンネル内の火災事故及び、この原因となる自動車事故を対象とした非常用設備であり、これ以外に通報警報設備、消火設備、換気設備、避難誘導設備などが設けられている。これに対し照明灯具２４は、トンネル内を常時照明する常設設備として設けられている。
【００２４】
このようなトンネル用設備において、本発明にあっては、常設設備である照明灯具２４を点検時に清掃するための設備として、照明灯具２４に対し水噴霧設備の自動弁装置１８から加圧消火用水の切替供給を受ける清掃用配管３０を、５０メートルとなる水噴霧設備の放水区画ごとに設置し、清掃用配管３０からヘッド配管を分岐し、照明灯具２４の前方に前面清掃用ヘッド２６を設置すると共に、照明灯具２４の側方後部に背面清掃用ヘッド２８を設置している。
【００２５】
図２は図１のトンネル壁面に設置した照明灯具２４に対する清掃用ヘッドの配置を取り出して示した説明図であり、図２（Ａ）に正面を示し、図２（Ｂ）に平面を示している。
【００２６】
図２において、照明灯具２４は本体２４ｂと、これに対しヒンジにより開閉自在なカバー２４ａで構成され、カバー２４ａには窓２４ｃが設けられ、カバー２４ａの内部となる本体２４ｂ側に蛍光灯やハロゲンランプなどの照明光源を設けている。
【００２７】
照明灯具２４は上下４箇所に取付アングル２５を取り出しており、図２（Ｂ）に示すように、トンネル壁面１１の内部の鉄筋などに溶接した埋込ボルト３２に対し、取付アングル２５を２個のナットで締付け固定し、トンネル壁面１１から浮いた位置に照明灯具２４を支持している。
【００２８】
このような照明灯具２４に対し、例えばその下側に自動弁装置１８側から引き出された清掃用配管３０が配置され、清掃用配管３０からＴ字継手を使用してヘッド配管２６ａが照明灯具２４の前面側に配置され、ヘッド配管２６ａの先端に前面清掃用ヘッド２６を設置し、前面清掃用ヘッド２６からの加圧水の散水で、照明灯具２４のカバー２４ａの前面側を洗浄清掃できるようにしている。
【００２９】
また清掃用配管３０のＴ字継手によりヘッド配管２８ａを照明灯具２４の左側に配置し、ヘッド配管２８ａは図２（Ｂ）に示す平面図から明らかなように、照明灯具２４の後ろ側まで延在し、そこから横方向に向けて背面清掃用ヘッド２８を設けている。この背面清掃用ヘッド２８からの加圧消火用水の散水により、照明灯具２４の本体２４ｂ側の背面及び側面を洗浄清掃可能としている。
【００３０】
ここで前面清掃用ヘッド２６及び背面清掃用ヘッド２８については、加圧消火用水を散水した際に、散水した水がトンネル内の道路側に向かうことなく、そのほとんどが照明灯具２４に向かうように散水方向を適切に設定している。
【００３１】
このため、図１に示すようなトンネル内における照明灯具２４に対する前面清掃用ヘッド２６及び背面清掃用ヘッド２８の設置状態で自動弁装置１８からの加圧消火用水の切替供給で消火用水を散水して照明灯具２４の洗浄清掃を行っても、散水した水は道路１２側に向かうことはなく、大部分がトンネル壁面１１に向かって当たって流れ落ちることで、道路１２の通行を妨げることなく、通行状態のまま照明灯具２４の洗浄清掃が可能となる。
【００３２】
図３は放水先を水噴霧ヘッドと清掃用ヘッドに切り替える自動弁装置の実施形態を示した説明図である。図３において、中央監視室などに設置された防災制御盤４０には消火制御部４２と点検制御部４３が設けられ、伝送部４４を介してトンネル内の水噴霧ヘッドに対し設置している自動弁装置１８に制御信号の供給と各種の検出信号の受信を行っている。また消火制御部４２及び点検制御部４３は、防災制御盤４０に設けているＣＰＵのプログラム制御により実現される機能である。
【００３３】
自動弁装置１８は自動弁４８とその２次側に設けた制水弁５０で構成され、自動弁４８の１次側には、図示しない給水配管によって加圧消火設備により加圧された水源からの加圧消火用水が供給され、制水弁５０の２次側には本発明の切替弁装置として機能する三方切替弁９０を介して、例えばトンネルの５０メートル単位に設置された放水区画ごとに設置した複数の水噴霧ヘッドに対する配管接続、及び同じく５０メートル単位の放水区画ごとに対応して設置されている照明灯具に設けた清掃用ヘッドに対する配管接続が行われている。
【００３４】
自動弁４８には制御アクチュエータとして動作する圧力調整機構５５が設けられる。圧力調整機構５５はシリンダ内にピストン５６を設け、弁体５４内に第１シリンダ室５８を形成し、外側にスプリング６２を組み込んだ第２シリンダ室６０を形成している。第２シリンダ室６０には、ピストン５６のロッド内の内部通路により自動弁４８の２次側と連通している。
【００３５】
自動弁４８の起動と停止は、１次側から分岐した反対に設けている止め弁６６とオリフィス２８に続いて設けた防災制御盤４０から遠隔制御される電動弁を用いたパイロット弁７０の開閉で行われる。パイロット弁７０と並列には手動起動弁７２が設けられている。パイロット弁７０の２次側には、圧力調整弁５２を経由して自動弁４８の第１シリンダ室５８に接続されている。
【００３６】
圧力調整弁５２は、１次圧ポートＰ１、シリンダポートＣＬ、パイロットポートＰＬ、２次圧ポートＰ２を備える。１次圧ポートＰ１にはパイロット弁７０及び手動起動弁７２の２次側が接続され、パイロット弁７０または手動起動弁７２を開くことで、自動弁４８の１次側の加圧水が供給される。シリンダポートＣＬは自動弁４８の第１シリンダ室５８に接続される。パイロットポートＰＬ及び２次圧ポートＰ２は自動弁４８の２次側と接続される。
【００３７】
圧力調整弁５２は、パイロット弁７０または手動起動弁７２を開放して１次側の加圧水を受けた状態で動作し、第１シリンダ室５８に１次側加圧水を供給して、弁体５４を開いて起動し、弁体５４を開いた後は２次側圧力の値を、内蔵したスプリングで設定した規定値に保つように調整する。
【００３８】
圧力調整弁５２に対し設けている閉鎖遅延弁５３は、パイロット弁７０または手動起動弁７２を閉じて自動弁４８を停止する際に、第１シリンダ室５８から自動弁４８の２次側に戻る流れを絞ることによってピストン５６の戻りを遅延させ、弁体５４による急激な閉鎖を防ぐようにしている。
【００３９】
次に自動弁装置１８における点検のための構成を説明する。自動弁４８の２次側からドレインに対し引き出された配管の途中にテスト放水弁７８が設けられ、テスト放水弁７８の１次側には圧力センサ８０と圧力スイッチ８２が設けられている。またテスト放水弁７８と並列に自動排水弁７６を設けている。
【００４０】
テスト放水弁７８は、水噴霧ヘッドから実際に放水をすることなく、自動弁装置１８の動作を点検するために用いる。このため、テスト放水弁７８による点検に際し、まず制水弁５０を閉じることで水噴霧ヘッドへの加圧消火用水の供給を停止している。この状態でテスト放水弁７８を開いて、自動弁４８の２次側をドレイン側に連通する。
【００４１】
続いて防災制御盤４０に設けた点検制御部４３からの信号によるパイロット弁７０の開放、あるいは自動起動弁７２の開放動作を行うと、圧力調整弁５２が動作し、圧力調整機構５５により１次側の加圧水がスプリングで決まる所定圧に調整されて２次側に供給され、２次側からテスト放水弁７８を通ってドレインに流れる。これによって、水噴霧ヘッドから放水することなく、実放水による遠隔試験を行うことができる。
【００４２】
実放水試験が終わったならば、テスト放水弁７８を閉じると、２次側の圧力が１次側と同じ圧力に上昇し、圧力調整弁５２による動作で圧力調整機構５５の弁体５４が閉じ、１次側と２次側を切り離した閉鎖状態となる。
【００４３】
ここでテスト放水弁７８と並列に設けた自動排水弁７６は、自動弁４８の２次側に水圧が加わっていない状態で開いており、水圧が加わると自動的に閉じる。このため自動弁４８に漏水があったとしても、この漏水は自動排水弁７６を通ってドレイン側に流れ、自動弁４８の漏水により制水弁５０を通って水噴霧ヘッドから漏水するような事態を防ぐようにしている。
【００４４】
更に本実施形態にあっては、制水弁５０の２次側に水噴霧ヘッドに加圧供給される消火用水の放水先を清掃用ヘッドに切り替え、清掃用ヘッドからの散水により照明灯具を洗浄清掃する切替弁装置として三方切替弁９０を設けている。
【００４５】
三方切替弁９０は、１次ポート９０ａに対し切替可能な第１切替ポート９０ｂと第２切替ポート９０ｃを持っており、第１切替ポート９０ｂに対しては水噴霧ヘッドに対する配管が接続され、第２切替ポート９０ｃに対しては清掃用ヘッドに対する配管が接続されている。
【００４６】
また三方切替弁９０は、点検用制御弁８４の開動作による１次加圧水の供給を受けて、通常状態における１次ポート９０ａを第１切替ポート９０ｂに連通する第１切替位置から１次ポート９０ａを第２切替ポート９０ｃに連通する第２切替位置に切り替える動作を行う遠隔制御型の三方切替弁としている。
【００４７】
三方切替弁９０の切替位置は切替アクチュエータに設けたリミットスイッチ９２により検出され、切替位置の検出信号は防災受信盤４０に送られて、点検制御部４３に切替表示を行うようにしている。また点検用制御弁８４と並列には、手動により現場で点検放水を行うための点検放水弁８６を設けている。
【００４８】
図３の自動装置１８による清掃用ヘッドからの放水による照明灯具の洗浄清掃の動作は次のようになる。まず点検用制御弁８４の遠隔制御あるいは点検放水弁８６の手動操作により開動作を行い、１次側の加圧水を三方切替弁９０に供給し、三方切替弁９０を水噴霧ヘッドへの放水から清掃用ヘッドへの放水に切り替える。
【００４９】
このような三方切替弁９０の切替えが済んだならば、制水弁５０を開いている状態でパイロット弁７０または手動起動弁７２を開放して１次加圧水を圧力調整弁５２に供給すると、自動弁４８の圧力調整機構５５との連携により圧力調整動作が行われ、圧力調整により開いた弁体５４を介して、１次側加圧水が調圧された状態で２次側に供給され、開放状態にある制水弁５０、更に１次ポート９０ａから第２切替ポート９０ｃに切り替えられた状態にある三方切替弁９０を介して、清掃用ヘッドに対し調圧された加圧消火用水が供給される。
【００５０】
これにより図１及び図２に示したように、現在動作している自動弁装置１８が設置されているトンネル内の５０メートル単位の放水区画に設置している複数の照明灯具２４に設けられた前面清掃用ヘッド２６及び背面清掃用ヘッド２８から加圧消火用水が放水され、照明灯具２４の前面及び背面に対する加圧消火用水の放水で、確実に洗浄清掃を行うことができる。
【００５１】
このような照明灯具２４の清掃用ヘッドによる洗浄清掃は、基本的には図１に示すトンネル内の道路１２につき片側車線を規制して点検清掃を行うことになるが、本発明の清掃用ヘッドにあっては、図２に示したように、前面清掃用ヘッド２６及び背面清掃用ヘッド２８からの加圧消火用水の放水は、トンネル壁面側に設置している照明灯具２４に向けて行われることで、ほとんど道路側に放水されることがなく、したがって車両走行中であっても、車両の走行に影響させることなく清掃用ヘッドからの散水で照明灯具２４の洗浄清掃を行うことが可能である。
【００５２】
また洗浄清掃で噴き出されたわずかな噴霧水が道路側に飛び散ることが予想されることから、点検清掃中にあってはトンネル入口などの表示盤などを使用し、清掃作業中であることからワイパーを使用する旨の表示を行い、トンネル走行中の車両がワイパーを作動させることで、照明灯具の清掃に伴う噴霧を受けても問題なく安全に走行させることができる。
【００５３】
図４は１次側で放水先を水噴霧ヘッドと清掃用ヘッドに切り替える自動弁装置の他の実施形態を示した説明図である。図４において、防災制御盤４０及び自動弁設備４６の水噴霧設備としての構成は図３の実施形態と同じであるが、清掃用ヘッドに対し放水先を切り替えるための切替弁装置として、図４の実施形態にあっては、三方切替弁９０を自動弁４８に対する加圧消火用水を供給する１次側に設けたことを特徴とする。
【００５４】
即ち、自動弁４８に加圧水を供給する１次側の配管の途中には三方切替弁９０が設けられている。三方切替弁９０は、１次ポート９０ａに１次側の給水配管からの加圧水を供給し、第１切替ポート９０ｂを自動弁４８の１次側に接続し、第２切替ポート９０ｃを清掃用ヘッドに接続している。
【００５５】
また三方切替弁９０を切替動作させるための点検用制御弁８４及び点検放水弁８６に対しては、三方切替弁９０に対する１次側の加圧水が供給され、点検用制御弁８４または点検放水弁８６を開くことで１次側加圧水を三方切替弁９０に供給し、自動弁４８及び制水弁５０を介して、水噴霧ヘッドに対する加圧水の放水先となる第１切替ポート９０ｂから消火用ヘッドを放水先とする第２切替ポート９０ｃへの切替えを行うようにしている。
【００５６】
このように三方切替弁９０を自動弁４８の１次側に設けた場合には、清掃用ヘッドに対する加圧水は、図３の実施形態のように自動弁４８の圧力調整機構５５により調圧された加圧水ではなく、１次側の加圧水が直接、清掃用ヘッドに供給されることになる。
【００５７】
なお上記の実施形態は常設設備となる照明灯具の洗浄清掃を非常設備となる水噴霧設備からの加圧水を利用して行うようにしているが、水噴霧設備からの加圧水による洗浄をする常設設備としては照明灯装置に限定されず、その他、適宜の常設設備の洗浄清掃についても同様に適用することができる。
【００５８】
また水噴霧設備に設けている自動弁装置１８は図３及び図４の実施形態に限定されず、適宜の自動弁装置につき、その２次側または１次側に水噴霧ヘッドから清掃用ヘッドへ放水先を切り替える三方切替弁を設けることで同様に対応できる。
【００５９】
また上記の実施形態にあっては、水噴霧ヘッドから清掃用ヘッドに放水先を切り替える切替弁装置として三方切替弁９０を設けているが、三方切替弁以外に適宜の切替弁もしくは切替弁の組合せにより、水噴霧ヘッドから清掃用ヘッドへの放水先の切替えを行うようにしてもよい。上記実施形態の三方切替弁９０は加圧水の供給により水圧で切換える構成にしているが、点検制御弁８４や点検放水弁８６をなくして、三方切替弁９０を電動弁に換えて遠隔的に切換えるようにしても良い。もしくは三方切替弁９０をハンドルを備える手動切替弁に換えて切替えができるようにしても良い。
【００６０】
また一つの自動弁装置に接続される複数の水噴霧ヘッドから放射される総放射量と、複数の清掃用ヘッドの総放射量が略同じ総量になるようにヘッド接続個数を接続しておけば、水噴霧装置として使用する自動弁装置の放射量チェック等の動作確認を行う際に、水噴霧ヘッドから放射せずに、道路方向ではないトンネル壁面や横方向などへ向いた清掃用ヘッドから放射させて点検することで、道路側への散水量を抑えて自動弁装置の動作確認を行うことができ、点検後の復旧作業を迅速化できる。
【００６１】
また、照明灯具２４の下方や周辺に清掃用ヘッドから放射された水を回収するための板状や箱状の回収部材を備え、清掃用ヘッドからの水を回収して排水管やトンネル壁面側に流すことで外部に排水する回収部材を備えることで、道路側への散水をさらに抑えることができ、点検終了後の復旧作業を迅速に行うようにしてもよい。
【００６２】
また本発明は、その目的と利点を損なうことのない適宜の変形を含み、更に上記の実施形態に示した数値による限定は受けない。
【符号の説明】
【００６３】
１０：トンネル
１１：トンネル壁面
１２：道路
１４：監視員通路
１６：消火栓装置
１８，４６：自動弁装置
２０：水噴霧ヘッド
２２：水噴霧配管
２４：照明灯具
２４ａ：カバー
２４ｂ：本体
２４ｃ：窓
２５：取付アングル
２６：前面清掃用ヘッド
２６ａ，２８ａ：ヘッド配管
２８：背面清掃用ヘッド
３０：清掃用配管
３２：埋込ボルト
４０：防災制御盤
４２：消火制御部
４３：点検制御部
４４：伝送部
４８：自動弁
５０：制水弁
５２：圧力調整弁
５５：圧力調整機構
６６：止め弁
６８：オリフィス
７０：パイロット弁
７２：手動起動弁
７６：自動排水弁
７８：テスト放水弁
８４：点検用制御弁
８６：点検放水弁
９０：三方切替弁
【図１】
2010275794.tif 000003
【図２】
2010275794.tif 000004
【図３】
2010275794.tif 000005
【図４】
2010275794.tif 000006